(57)【要約】【課題】１０把集積する際、把を落下せずに、集積把の下部から把を挿入する把集積装置を提供する。【解決手段】長手整位部８１は、把Ｈを押出す押出しレバー８１Ａ、この押出しレバー８１Ａによって押出された把Ｈの搬送を停止するストッパ８１Ｂ、バネ８１Ｃ及びワンウェイクラッチを有し、把Ｈの搬送路８１Ｄに配置される。把Ｈは、押出しレバーによってその後端が押出され把Ｈの券種によって設定された位置まで押出される。ストッパにはワンウェイクラッチが組み込まれており、搬送方向に押し込まれて押し戻さない構成になっている。この結果、把Ｈの長手方向の位置が整位される。この把Ｈは、バックアッププレート８２Ａに受け渡されて上昇する。この上昇した把によってラッチ８２Ｂが押上げられ回動する。把がラッチ８２Ｂを通過すると、ラッチ８２Ｂは復帰し、バックアッププレートの下降に伴って、ラッチ８２Ｂの上に把Ｈが積載される。【選択図】図３
2008127157.tif 000002
【特許請求の範囲】
【請求項１】
所定枚数の紙葉類が結束された把を積載する集積庫を備えた把集積装置であって、
前記把を搬送する搬送路と、
この搬送路に載置された前記把を所定の位置まで押出す押出手段と、
この押出手段によって押出された前記把の搬送を停止する停止手段と、
この停止手段によって停止した前記把を所定の積載位置まで移動する移動手段と、
この移動手段によって移動された把を前記集積庫の集積方向最下端部から押し込むとき、この押し込まれた把が積載方向と反対方向に倒れ又は押し戻されるのを防止する保持手段と、
前記集積庫の積載方向先端に配置され、集積庫に載置された把を積載方向と反対方向に押圧する押圧手段と、
を備えたことを特徴とする把集積装置。
【請求項２】
前記押出手段は、
前記把の搬送方向の長さによって押出す押出し量を、当該押出手段によって押出される前記把の搬送方向長さの中央が前記集積庫の長さ方向の中央に位置するように設定することを特徴とする請求項１記載の把集積装置。
【請求項３】
前記停止手段は、
前記搬送路と直行するように配置され、前記押出手段によって押出される前記把の搬送を停止するストッパと、
このストッパを把の搬送方向と反対方向に付勢する付勢手段と、
このストッパを把の搬送方向に押出し可能なワンウェイクラッチと、
このワンウェイクラッチを解除する解除手段と、
を備えたことを特徴とする請求項１記載の把集積装置。
【請求項４】
前記保持手段は、
前記集積庫の角に配置され、積載された把を保持するために前記移動手段に載置された把の移動に伴って集積方向に回動可能な保持具と、
この保持具の回動を復帰する復帰手段と、
を備え、前記移動手段に載置された前記把が前記集積庫に集積された後前記保持具が前記復帰手段によって復帰することを特徴とする請求項１記載の把集積装置。
【請求項５】
前記保持手段が、前記集積庫の角に配置され、積載された把を保持するために前記移動手段に載置された把の移動に伴って積載方向に回動可能なワンウェイクラッチと、
このワンウェイクラッチを搭載した十字形状の円盤状支持材からなる保持具と、
を備えたことを特徴とする請求項１記載の把集積装置。
【発明の詳細な説明】
【技術分野】
【０００１】
本発明は、有価証券などの紙葉類を処理する紙葉類処理装置に関し、特に所定枚数ごとに結束された把を集積する把集積装置に関する。
【背景技術】
【０００２】
有価証券などの紙葉類を処理する紙葉類処理装置は、処理単位に応じて一括して投入された紙葉類束から取出装置によって紙葉類を１枚ずつ取出して搬送し、紙葉類判別装置によって紙葉類を判別し、正常な券（再利用可能な真券で正券と称する）、損券（再利用不可能な真券で損券と称する。）及び偽券・搬送不良券など判別不能な排除券に区分される。
【０００３】
このようにして区分された正券は、集積装置に搬送され、１００枚ごとに紙帯で結束されて、把が形成される。集積装置は処理の連続性を確保するために通常複数配置されており、第１の集積装置が１００枚に到達すると、この集積装置への集積を中止し、隣接して配置された第２の集積装置に集積している間に、第１の集積装置に集積された１００枚を紙帯で結束する。以下この方法を繰り返すことによって、連続した紙葉類の処理を行うことができる。
【０００４】
従来、上記第１の集積装置及び第２の集積装置で形成された把は、当該集積装置の下部に配置されたコンベアで搬送され、１把ごとリフタに載置されて集積部上部に持ち上げられた後、集積部上部に配置したシャッタ部に落下されていた。シャッタ上に落下した把は、このシャッタを開動作することにより当該把を把収納庫に落下させる。
【０００５】
シャッタの下部は、上下移動可能に配置されたなバックアップ装置と、把の長手方向を取り揃える整位装置が配置されており、このバックアップが把を受け止めるのに適切な深さで把を受取ったあと、長手整位装置は把の長手を押さえることにより整位していた。
【０００６】
このようにして、シャッタ開閉、整位動作及びバックアップ動作を繰り返すことによって、把を順次上から集積していた（例えば、特許文献１参照。）。
【０００７】
１０把集積が完了した後、この１０把集積把をリムーバ装置によって結束装置まで搬送し、紙帯により結束（施封）していた。
【特許文献１】特開２００２−１７９０１１号公報  （第３頁、図３）
【発明の開示】
【発明が解決しようとする課題】
【０００８】
しかしながら、特許文献１記載の紙葉類処理装置では、把を１０把集積するときに、上から把を落下させて集積する。この集積の際、把は、長手に搬送され、集積部の上部のシャッタに一旦収まり、その後シャッタを開くことにより集積部に落下集積させる。
【０００９】
把を受け止めるバックアップは、集積する把の数に応じて高さを変えることにより把の挙動を抑えているが、把の形状により落下時の傾き、倒れ、券の浮き上がりによるバックアップ高さの制御ミスなどの不具合が生ることがあるという課題があった。
【００１０】
本発明は、上記課題を解決するためになされたもので、１０把集積する際、把を落下せずに、集積把の下部から把を挿入する方法をとる事により、把を整位した後に集積することができ、把の集積不具合を防止する把集積装置を提供することを目的とする。
【課題を解決するための手段】
【００１１】
上記目的を達成するために、本発明の請求項１記載の把集積装置は、所定枚数の紙葉類が結束された把を積載する集積庫を備えた把集積装置であって、前記把を搬送する搬送路と、この搬送路に載置された前記把を所定の位置まで押出す押出手段と、この押出手段によって押出された前記把の搬送を停止する停止手段と、この停止手段によって停止した前記把を所定の積載位置まで移動する移動手段と、この移動手段によって移動された把を前記集積庫の集積方向最下端部から押し込むとき、この押し込まれた把が積載方向と反対方向に倒れ又は押し戻されるのを防止するラッチ付き保持手段と前記集積庫の積載方向先端に配置され、集積庫に載置された把を積載方向と反対方向に押圧する押圧手段と、を備えたことを特徴とする。
【発明の効果】
【００１２】
本発明によれば、１０把集積する際、把を落下せずに、集積把の下部から把を挿入する方法とる事により、把を整位した後に集積することができ、把の集積不具合を防止することができる。
【発明を実施するための最良の形態】
【００１３】
以下、図面を参照して本発明の実施例を説明する。
【実施例１】
【００１４】
図１は、本発明の実施例１による把集積装置８０を搭載した紙葉類処理装置１の概略構成図である。図２は、図１に示す紙葉類処理装置に搭載された本発明の実施例に係る把集積装置の構成を説明する概略図である。
【００１５】
以下、図１及び図２を参照しながら説明する。
【００１６】
紙葉類処理装置１は、有価証券などの紙葉類Ｐの真偽（真券か偽券か）又は正損（再流通可能な正券か再流通不可能な損券か）を判別し、正券は紙葉類集積装置３０、３１で集積し、損券は紙葉類裁断装置６０で裁断し、裁断片を収納箱（図示しない）に収集する装置である。
【００１７】
上記紙葉類処理装置１には、積載された紙葉類Ｐを一括して供給する供給部１０が設けられている。この供給部１０に積載された紙葉類Ｐは、取出ローラ１０Ａによって一定間隔で１枚ずつ取り出され、搬送路（搬送手段）２０に供給される。この取出ローラ１０Ａは、１回転する毎に紙葉類Ｐを１枚取り出す。この搬送路２０は、搬送ローラ（図示しない）と搬送ベルト（図示しない）で構成され、紙葉類Ｐを搬送方向上流から下流に向かって搬送する。
【００１８】
さらに、この取出ローラ１０Ａの取出回転を検知する取出ローラ検知センサ（取出ローラ検知手段）ＳＣ１０が設けられている。この取出ローラ検知センサＳＣ１０は、取出ローラ１０Ａが１回転する毎に１回暗になるセンサであり、この検知センサＳＣ１０の出力により紙葉類の取込みタイミングが設定されて紙葉類Ｐが取出される。
【００１９】
このようにして、取出ローラ１０Ａによって供給部１０から取出された紙葉類Ｐは紙葉類判別装置５０によって判別される。紙葉類判別装置５０は、紙葉類Ｐの物理的特性を検知して判別するもので複数の装置で構成されており、搬送方向下流に向かって搬送路２０に設けられている。また、これら紙葉類判別装置５０の判別結果に基づいて正券と判別された紙葉類Ｐを集積する紙葉類集積装置３０・３１、損券と判別された紙葉類Ｐを裁断する紙葉類裁断装置６０、偽券又は排除券を集積する排除券集積装置３３が設けられている。
【００２０】
取出検知部５１は、供給部１０から供給された紙葉類Ｐの取出状態を検知し検知結果を制御部２に通知する。この取出状態の検知結果が、例えば、複数枚取り出し、搬送ピッチ詰まりなどの場合は、搬送方向下流に搬送して処理する振分ゲートで振り分けられないなどの障害が発生しやすいため、搬送異常を制御部２に通知する。制御部２は、この取出異常の通知を受信し、当該紙葉類Ｐの搬送方向を振り分ける振分けゲートＧ４０を左に回動することによって当該紙葉類Ｐを搬送路２１に沿って搬送させ排除券集積装置３４に集積する。この排除券集積装置３４に集積された紙葉類Ｐは再供給することが可能である。
【００２１】
排除券集積装置３３は、紙葉類判別装置５０によって排除された紙葉類Ｐを集積するもので、集積羽根車３３Ａ、排除券カセット３３Ｂを備えており、搬送路２６に沿って搬送されてきた紙葉類Ｐを集積羽根車３３Ａで受け取り、排除券カセット３３Ｂに集積する。
【００２２】
上記紙葉類判別装置５０の判別の結果、正券は紙葉類集積装置３０・３１に搬送され、損券は紙葉類裁断装置６０に搬送され、排除券は排除券集積装置３３に搬送される。
【００２３】
これら紙葉類集積装置３０・３１・３３は同様に構成されているため、ここでは紙葉類集積装置３０・３１の説明を行い、排除券集積装置３３は、紙葉類集積装置３０・３１と異なる部分の説明を行う。
【００２４】
紙葉類集積装置３０には、上記紙葉類判別装置５０の判別の結果、正券と判別された紙葉類Ｐの最初の１００枚が集積される。すなわち、振分けゲートＧ３０が右に回動され、搬送路２２によって搬送された紙葉類Ｐは集積羽根車３０Ａによって紙葉類集積装置３０の一時集積庫３０Ｂに集積される。
【００２５】
紙葉類集積装置３０への１００枚目の通過と共に、振分けゲートＧ３０を左側に回動し紙葉類Ｐが続けて集積されるのを防止すると共に、振分けゲートＧ３１を右側に回動し、続けて搬送される１０１枚目以降の正券の紙葉類Ｐを紙葉類集積装置３１に搬送するようにする。
【００２６】
上記紙葉類集積装置３０の一時集積庫３０Ｂに集積された正券１００枚の紙葉類Ｐは施封装置４０に移動後、図示しない紙帯で施封され把が形成される。同様に、紙葉類集積装置３１の一時集積庫３１Ｂに集積された正券が１００枚に達すると、振分けゲートＧ３１を左側に回動し、紙葉類Ｐが続けて集積されるのを防止すると共に振分けゲートＧ３０を右側に回動し、次の１００枚を紙葉類集積装置３０の一時集積庫３０Ｂに集積する。集積装置３１の一時集積庫３１Ｂに集積された１００枚の紙葉類Ｐは施封装置４１に移動後、図示しない紙帯で施封されて把が形成される。
【００２７】
以上の操作を繰り返すことによって、搬送される紙葉類Ｐを連続に集積し、１００枚に達するごとに施封し把を形成することができる。このようにして形成された把は施封装置４０・４１からコンベア７０に放出される。
【００２８】
このコンベア７０に載置された把は右側から左側に搬送され、本発明の実施例に係る把集積装置８０に渡される。
【００２９】
図２は、図１の示す把集積装置８０の長手整位部８１を説明する図である。把集積装置８０は、把Ｈを押出しながら把Ｈの長手方向を整位する長手整位部８１と、整位された把Ｈを下部から集積する把集積部８２を有している。
【００３０】
長手整位部８１は、把Ｈを押出す押出しレバー（押出手段）８１Ａ、この押出しレバー８１Ａによって押出された把Ｈの搬送を停止させるストッパ８１Ｂ、バネ（付勢手段）８１Ｃ及びワンウェイクラッチ（図示しない）を有し、把Ｈの搬送路８１Ｄに配置される。
【００３１】
コンベア７０から受け渡された把Ｈは、押出しレバー８１Ａによってその後端が押出され把Ｈの券種によって設定された位置まで図示矢印Ａ方向に押出される。
【００３２】
ストッパ８１Ｂは、搬送方向に押出されると、弾性を有するバネ８１Ｃによるバネ力によって搬送方向と反対方向に所定の力で押もどされる。しかしながらこのストッパ８１Ｂにはワンウェイクラッチ（図示しない）が組み込まれており、ストッパ８１Ｂが搬送方向に押出されると所定の反発力を有しながら搬送方向に押し込まれて押し戻さない構成になっている。
【００３３】
このようなストッパ８１Ｂを使用することによって、把Ｈが押出しレバー８１Ａによって把Ｈの券種によって設定された位置まで押出されると、ストッパ８１Ｂはバネ力によって把Ｈの先端と後端を挟みこむことになり、把Ｈの搬送方向である長手方向の位置が整位される。
【００３４】
図３は、把集積部８２の動作を説明する図である。図４は、バックアッププレート８２Aによって把Hが上昇する様子を説明する図である。図５は、バックアッププレート８２Aがさらに上昇し、把Hがラッチ８２Bを押し上げている図である。
【００３５】
図３に示す把集積部８２は、把Ｈの進行方向に回動可能なラッチ８２Ｂが把Ｈの短手側両端面にそれぞれ２個配置され、積載された把Ｈの積載方向の荷崩れ又は荷重を支える。このラッチ（保持手段）８２Ｂは、ラッチ８２Ｂ内部に組み込まれたバネ力によって図示矢印B方向に回動する回動力が働くと、これに対抗する復帰力が働き回動力がなくなると初期状態に復帰する機能を有する。
【００３６】
また、積載された把Ｈの上部を把Hの積載方向とは逆の方向に所定の力で押圧する押圧板８２Cが備えられている。この押圧板８２Cの押圧力は、把Ｈの積載方向と反対方向に所定の力が加わるように弾性材で構成されたバネ８２Dによって付勢される。このように構成された押圧板８２Cと、バックアッププレート（移動手段）８２Aの間に積載された把Hを挟み込むことで、積載された把Hの挙動を安定させ、集積中の把Hの荷崩れを防止することができる。
【００３７】
次に、このように構成された把集積部８２の動作を説明する。長手整位部８１の動作は上述したので、ここでは、上記長手整位部８１で長手整位された後の把Ｈの動作を説明する。
【００３８】
最初に、所定の位置に長手整位された把Ｈは、バックアッププレート（移動手段）８２Ａに受け渡され、このバックアッププレート８２Ａの上昇に伴って上昇する（図４）。
【００３９】
次に、上昇した把Ｈは、ラッチ８２Ｂを下から押上げる。この押上げによって、ラッチ８２Ｂは把Ｈに押上げられ回動する。なお、把Ｈの短手側両端面に配置された４個のラッチ８２Ｂは同様に回動する（図５）。
【００４０】
次に、把Ｈはさらに押上げられ、把がラッチ８２Ｂを通過し、集積庫に押し込まれる。この通過によってラッチ８２Ｂの押圧力がなくなり、ラッチ８２Ｂは復帰する。
【００４１】
次に、バックアッププレート８２Ａが下降するのに伴って、ラッチ８２Ｂの上に把Ｈが積載される。この結果、集積されている他の把Ｈの最下部に積載される。
【００４２】
次に、バックアッププレート８２Ａの下降に伴い、ストッパ８１Bに組み込まれたワンウェイクラッチが初期状態に復帰する。
【００４３】
このような構成にすることによって、例えば搬送される紙葉類把Ｈの搬送方向の長さが異なる場合であっても、紙葉類把の種類によって押出レバー（押出手段）８１Ａによって押出される押出し量が事前に設定される。具体的には、把の搬送方向長さの中央が集積庫の長さ方向の中央に位置するように設定されるため、把Ｈの長さが異なっても、集積庫の中央に向かって集積庫の最下部から押込まれることになり、集積庫内の集積不具合を防止することができる。
【００４４】
以上説明したように本発明の第１の実施例によれば、１０把集積する際、把を落下せずに把を整位した後に集積把の下部から把を挿入することにより、把の集積不具合を防止することができる。
【実施例２】
【００４５】
図６は、本発明の実施例２による把集積部８２のラッチ８３の動作を説明する図である。図７は、図６に示すバックアッププレート８２Aがさらに上昇し、把Hが積載された状態を示す図である。
【００４６】
本実施例は、把集積部８２のラッチ８３以外の部分は実施例１と同一であるため、実施例１と同一部分には同じ符号を付しその説明を省略し、異なる部分の説明を行う。
【００４７】
実施例１のラッチ８２Bの替わりに実施例１同様にワンウェイクラッチを内臓した十字形状の円盤状支持材からなるラッチ（保持手段）８３が用いられる。このラッチ８３は、実施例１同様短手側両端面にそれぞれ２個配置され、積載された把Hの積載方向の荷崩れ又は荷重を支える。
【００４８】
次に、このように構成されたラッチ８３による把集積部８２の動作を説明する。バックアッププレート８２Aに積載された把Hが上昇し、ラッチ８３を持ち上げると、ラッチ８３は図示矢印Ｂ方向に回動しながら既に積載されている把Ｈを持ち上げる。その最下部にバックアッププレートに積載された把Ｈを積載する。このラッチ８３にはワンウェイクラッチが組み込まれており、図示矢印Ｂ方向には回動するがその反対方向には回動しない。
【００４９】
以上説明したように本発明の実施例２によれば、実施例１に示したクラッチ８２Ｂに替えてワンウェイクラッチを内臓した十字形状円盤状支持材からなるクラッチ８３を用いて実施例１同様の効果を得ることができる。
【図面の簡単な説明】
【００５０】
【図１】本発明の実施例１による紙葉類処理装置の概略構成図。
【図２】図１に示す把集積装置の長手整位部の動作を説明する図。
【図３】把集積部の動作を説明する図。
【図４】バックアッププレートによって把が上昇する様子を説明する図。
【図５】図４に示すバックアッププレートがさらに上昇し把がラッチを押上げている図。
【図６】本発明の実施例２による把集積部のラッチの動作を説明する図。
【図７】図６に示すバックアッププレートがさらに上昇し把が積載された状態を示す図。
【符号の説明】
【００５１】
Ｈ  把
Ｐ  紙葉類
Ｇ３０、Ｇ３１、Ｇ４０  分岐ゲート
１  紙葉類処理装置
１０  供給部
１０Ａ  取出ローラ
２０、２２、２３、２６  搬送路
５０  紙葉類判別装置
３０、３１  紙葉類集積装置
３０Ａ、３１Ａ  集積羽根車
３０Ｂ、３１Ｂ  一時集積庫
３３  排除券集積装置
３４  排除券集積装置
６０  紙葉類裁断装置
７０  コンベア
８０  把集積装置
８１  長手整位部
８１Ａ  押出しレバー
８１Ｂ  ストッパ
８１Ｃ  バネ
８２  把集積部
８２Ａ  バックアッププレート
８２Ｂ  ラッチ
８２Ｃ  押圧板
８２Ｄ  バネ
８３  ラッチ
８２Ｃ  押圧板
【図１】
2008127157.tif 000003
【図２】
2008127157.tif 000004
【図３】
2008127157.tif 000005
【図４】
2008127157.tif 000006
【図５】
2008127157.tif 000007
【図６】
2008127157.tif 000008
【図７】
2008127157.tif 000009